(57)【要約】【課題】遠隔監視制御装置（ＴＣ）または情報伝送装置（ＣＤＴ）に使用されるトランスデューサの演算部が経年劣化等により特性不良が発生した場合、適切に特性不良を検出することが可能なトランスデューサ回路及び遠隔監視制御装置を提供する。【解決手段】遠隔監視制御装置１に使用されるトランスデューサ１４は、補助ＣＴ１４１ａ，１４１ｂを介して入力される電流を電圧信号に変換する演算部１４２ａ，１４２ｂと、演算部１４２ａ，１４２ｂからそれぞれ出力されて出力調整部１４３ａ，１４３ｂを経由した電圧信号を比較する比較演算部１４４と、比較演算部１４４の比較結果に基づいて演算部１４２ａ，１４２ｂのいずれか１つから出力された電圧信号を送るスイッチ１４５とを備えている。【選択図】  図２
2018110486.tif 000002
【特許請求の範囲】
【請求項１】
発電所または変電所から離隔した遠隔地に設置されて前記発電所または前記変電所の運転状態を監視する制御所に対して制御信号を送信するために、前記発電所または前記変電所から出力される出力電流を制御信号に変換するトランスデューサ回路であって、
前記出力電流が常時入力され、前記出力電流に対応する第１の電気信号に変換して出力する第１の演算部と、
前記第１の演算部と並行に配設され、前記出力電流が所定の場合にのみ入力され、前記出力電流に対応する第２の電気信号に変換して出力する第２の演算部と、
前記第１の電気信号と前記第２の電気信号とを比較し、所定の割合以上の差分を検出した場合、前記第１の演算部または前記第２の演算部のいずれか一方に特性不良が発生していることを示す異常通知を前記制御所へ出力する比較演算部と、
前記第１の電気信号または前記第２の電気信号のいずれか一方を出力するか切り換えを行い、前記比較演算部が前記異常信号を出力したとき、前記第１の電気信号から前記第２の電気信号へ切り換えを行う切り換え手段と、
を備えたことを特徴とするトランスデューサ回路。
【請求項２】
前記第２の演算部が複数設けられ、
前記比較演算部は、前記第１の電気信号と、複数の前記第２の演算部が出力する複数の前記第２の電気信号とを比較する、
ことを特徴とする請求項１に記載のトランスデューサ回路。
【請求項３】
前記比較演算部は、前記第１の電気信号及び前記第２の電気信号を記憶する記憶部を備え、前記差分を検出した場合、前記第１の電気信号と記憶された第１の電気信号と、前記第２の電気信号と記憶された第２の電気信号とをそれぞれ比較し、所定の割合以上の差分を検出した場合、前記第１の演算部または前記第２の演算部のいずれか一方または両方に特性不良が発生していると判定する、
ことを特徴とする請求項１または２のいずれか１項に記載のトランスデューサ回路。
【請求項４】
請求項１ないし３のいずれか１項に記載のトランスデューサ回路を備えた、
ことを特徴とする遠隔監視制御装置。
【発明の詳細な説明】
【技術分野】
【０００１】
この発明は、発電所または変電所から出力される出力電流を、発電所または変電所の運転状態を監視する制御所に送信する制御信号に変換するトランスデューサ回路及び遠隔監視制御装置に関する。
【背景技術】
【０００２】
発電所または変電所の運転状態を監視するために、例えば、発電所または変電所から離隔した遠隔地に遠隔監視制御装置（ＴＣ）または情報伝送装置（ＣＤＴ）が設置されている（例えば、特許文献１参照。）。この遠隔監視制御装置等において使用されるトランスデューサは、発電所または変電所において出力される出力電流が計測用端子台（ＰＣＴ）及び計器用変流器テストターミナル（ＣＴＴ）を経由して入力され、その出力電流を電気信号に変換する装置であり、例えば、図５に示すトランスデューサ１４Ｂのような回路構成を有している。このようなトランスデューサ１４Ｂは、入力端子Ｉｎ１，Ｉｎ２を介してＣＴＴ１３に接続され、変換後の電気信号を出力端子Ｏｕｔ１，Ｏｕｔ２を介して出力するように構成され、主として補助変流器（ＣＴ）１４１と、演算部１４２と、出力調整部１４３と、フィルタ回路１４６と、レベル変換回路１４７と、補助電源回路１４８とから構成されている。入力端子Ｉｎ１，Ｉｎ２から入力される電流は、例えば、交流（ＡＣ）の０Ａ〜６Ａが正常な値である。
【０００３】
補助ＣＴ１４１は、入力端子Ｉｎ１，Ｉｎ２に接続され、ＣＴＴ１３から入力された電流を所定の電流値に変換する変流器であり、例えば、２つのコイルにより構成されている。演算部１４２は、補助ＣＴ１４１の出力側に接続され、変換された電流を電圧信号に変換する回路であり、例えば、集積回路（ＩＣ）等により構成されている。出力調整部１４３は、演算部１４２の出力側に接続され、電圧信号を所定の電圧値に変換する可変抵抗器である。フィルタ回路１４６は、出力調整部１４３の出力側に接続され、所定以上の電圧値の出力電圧をフィルタリングするためのオペアンプ等により構成された回路であり、例えば、アンチエイリアスフィルタである。レベル変換回路１４７は、フィルタ回路１４６の出力側に接続され、デジタル変換を行うために所定の信号レベル（例えば、−５Ｖ〜＋５Ｖ）に変換するための回路である。補助電源回路１４８は、補助入力端子Ｅ１，Ｅ２に接続され、このトランスデューサ１４Ｂを駆動させるための駆動電力を供給するための回路であり、例えば、ブリッジダイオード回路等により構成されている。
【０００４】
このようなトランスデューサ１４Ｂから出力される電気信号は、アナログ／デジタル（Ａ／Ｄ）変換やスケール変換等の処理がなされ、例えば、ＡＣの０Ａ〜７２０ＡのＣＴレシオと呼ばれる電気信号に変換されて、発電所または変電所の遠隔地に設置された制御所へ出力される。入力電流とこのＣＴレシオとの関係は、入力電流が０Ａ〜６Ａ、ＣＴレシオが０Ａ〜７２０Ａであり、図６に示すグラフの原点と、入力電流が６ＡでＣＴレシオが７２０Ａである点Ｐ１とを結ぶ直線Ｌ１のような関係で表される。そのため、例えば、入力電流が６Ａより大きい値であった場合、前述したスケール変換において計測異常と判断され、異常通知が制御所へ出力される。
【先行技術文献】
【特許文献】
【０００５】
【特許文献１】特開２００５−３４６４６３号公報
【発明の概要】
【発明が解決しようとする課題】
【０００６】
しかしながら、入力電流が３Ａの場合、点Ｐ２に示すように本来のＣＴレシオは３６０Ａであるが、図５の演算部１４２に特性不良が発生した場合、例えば、ＣＴレシオが６００Ａであったとしても、図６に示す原点と、入力電流が３ＡでＣＴレシオが６００Ａである点Ｐ３とを結ぶ直線Ｌ２のような特性を示す場合がある。このような場合、明らかに直線Ｌ１とは特性が異なるため、特性不良として演算部１４２を交換する等の対応を要するところ、異常通知が出力されることはないため、制御所では認識できない。
【０００７】
そこでこの発明は、トランスデューサの演算部が経年劣化等により特性不良が発生した場合、適切に特性不良を検出することが可能なトランスデューサ回路及び遠隔監視制御装置を提供することを目的とする。
【課題を解決するための手段】
【０００８】
上記課題を解決するために、請求項１の発明は、発電所または変電所から離隔した遠隔地に設置されて前記発電所または前記変電所の運転状態を監視する制御所に対して制御信号を送信するために、前記発電所または前記変電所から出力される出力電流を制御信号に変換するトランスデューサ回路であって、前記出力電流が常時入力され、前記出力電流に対応する第１の電気信号に変換して出力する第１の演算部と、前記第１の演算部と並行に配設され、前記出力電流が所定の場合にのみ入力され、前記出力電流に対応する第２の電気信号に変換して出力する第２の演算部と、前記第１の電気信号と前記第２の電気信号とを比較し、所定の割合以上の差分を検出した場合、前記第１の演算部または前記第２の演算部のいずれか一方に特性不良が発生していることを示す異常通知を前記制御所へ出力する比較演算部と、前記第１の電気信号または前記第２の電気信号のいずれか一方を出力するか切り換えを行い、前記比較演算部が前記異常信号を出力したとき、前記第１の電気信号から前記第２の電気信号へ切り換えを行う切り換え手段と、を備えたことを特徴とする。
【０００９】
この発明では、出力電流に対応する第１の電気信号に変換して出力する第１の演算部は、電気信号への変換を常時行う。第１の演算部と並行に配設され、出力電流に対応する第２の電気信号に変換して出力する第２の演算部は、所定の場合にのみ電気信号への変換を行う。また、切り換え手段は、比較演算部が異常信号を出力したとき、第１の演算部に特性不良が発生したとして第１の電気信号から第２の電気信号へ切り換えを行う。
【００１０】
請求項２の発明は、請求項１に記載のトランスデューサ回路において、前記第２の演算部が複数設けられ、前記比較演算部は、前記第１の電気信号と、複数の前記第２の演算部が出力する複数の前記第２の電気信号とを比較する、ことを特徴とする。
【００１１】
請求項３の発明は、請求項１または２のいずれか１項に記載のトランスデューサ回路において、前記比較演算部は、前記第１の電気信号及び前記第２の電気信号を記憶する記憶部を備え、前記差分を検出した場合、前記第１の電気信号と記憶された第１の電気信号と、前記第２の電気信号と記憶された第２の電気信号とをそれぞれ比較し、所定の割合以上の差分を検出した場合、前記第１の演算部または前記第２の演算部のいずれか一方または両方に特性不良が発生していると判定する、ことを特徴とする。
【００１２】
請求項４の発明は、請求項１ないし３のいずれか１項に記載のトランスデューサ回路を備えた、ことを特徴とする遠隔監視制御装置である。
【発明の効果】
【００１３】
請求項１、４の発明によれば、電気信号への変換を常時行う第１の演算部と、所定の場合にのみ電気信号への変換を行う第２の演算部とを備えたので、第１の演算部が通常系統として運用され、第２の演算部がバックアップ系統として運用される。そして、比較演算部が異常信号を出力したとき、通常系統として運用されている第１の演算部に特性不良が発生したとして、切り換え手段が第１の電気信号から第２の電気信号へ切り換えを行うため、使用頻度の高い第１の演算部に特性不良が発生している可能性が高いので、適切に特性不良を検出することができる。これにより、特性不良が発生した演算部の速やかな交換が可能になる。
【００１４】
請求項２の発明によれば、第２の演算部が複数設けられ、比較演算部は第１の電気信号と、複数の第２の演算部が出力する複数の第２の電気信号とを比較するので、より正確に特性不良が発生している演算部を特定することが可能になる。
【００１５】
請求項３の発明によれば、比較演算部が第１の電気信号及び第２の電気信号を記憶する記憶部を備え、第１の電気信号と第２の電気信号との間に所定の割合以上の差分を検出した場合、第１の電気信号と記憶された第１の電気信号と、第２の電気信号と記憶された第２の電気信号とをそれぞれ比較し、所定の割合以上の差分を検出した場合、第１の演算部または第２の演算部のいずれか一方または両方に特性不良が発生していると判定するので、より正確に特性不良が発生している演算部を特定することが可能になる。
【図面の簡単な説明】
【００１６】
【図１】この発明の実施の形態１に係る遠隔監視制御装置１の概略を示す機能ブロック図である。
【図２】図１のトランスデューサ１４を示す回路構成図である。
【図３】この発明の実施の形態２に係るトランスデューサ１４Ａを示す回路構成図である。
【図４】図３の比較演算部１４４Ａの制御を示すフローチャートである。
【図５】従来例のトランスデューサ１４Ｂを示す回路構成図である。
【図６】図５のトランスデューサ１４Ｂに入力される入力電流と出力されるＣＴレシオとの関係を示すグラフである。
【発明を実施するための形態】
【００１７】
以下、この発明を図示の実施の形態に基づいて説明する。
【００１８】
（実施の形態１）
図１及び図２は、この発明の実施の形態１に係る遠隔監視制御装置１を示し、図１は、遠隔監視制御装置１の概略を示す機能ブロック図である。また、図２は、図１のトランスデューサ１４を示す回路構成図である。この遠隔監視制御装置１は、発電所または変電所の運転状態を監視し、遠隔地に設置された制御所から発電所または変電所を操作制御する装置であって、発電所または変電所に設置され、主として出力電流が計測用端子台（ＰＣＴ）１１と、計器用変圧器テストターミナル（ＰＴＴ）１２と、計器用変流器テストターミナル（ＣＴＴ）１３と、トランスデューサ１４と、ＡＩ（Ａｎａｌｏｇ  Ｉｎｐｕｔ）基板１５と、ＣＰＵ１６と、モデム１７とを備え、モデム１７から出力された電気信号が制御所２へ出力されるように構成されている。制御所２は、発電所または変電所の運転状態を監視するための施設であり、発電所または変電所の遠隔地に設置され、発電所または変電所と通信可能になっている。
【００１９】
ＰＣＴ１１は、発電所または変電所から出力される出力電圧及び出力電流が入力されて電圧値及び電流値を計測するための端子台であり、配線の試験等に使用されるものである。ＰＴＴ１２は、変圧器回路内に組み込まれた試験用端子であり、ＰＣＴ１１の出力側に接続されている。ＣＴＴ１３は、変流器回路内に組み込まれた試験用端子であり、ＰＣＴ１１の出力側に接続されている。
【００２０】
トランスデューサ１４は、図５のトランスデューサ１４Ｂのように、ＰＴＴ１２及びＣＴＴ１３から出力された電流を、例えば、直流（ＤＣ）の０Ｖ〜５ＶやＤＣの０Ａ〜１ｍＡの電気信号に変換する装置であり、ＰＴＴ１２及びＣＴＴ１３の出力側に接続されている。ＡＩ基板１５は、入力された電気信号をＡ／Ｄ変換してデジタル信号を出力するための回路であり、トランスデューサ１４の出力側に接続されている。ＣＰＵ１６は、入力されたデジタル信号をスケール変換し、ＡＣの０Ａ〜７２０ＡのＣＴレシオに変換する機能を有している。モデム１７は、遠隔監視制御装置１と制御所２との間で通信を行うための通信インターフェースであり、ＣＴレシオを制御所２へ出力する機能を有している。
【００２１】
図２は、図１のトランスデューサ１４を示す回路構成図である。このトランスデューサ１４は、図１の遠隔監視制御装置１におけるＣＴＴ１３からの電流を入力とするトランスデューサであり、図５に示すトランスデューサ１４Ｂの補助ＣＴ１４１、演算部１４２、出力調整部１４３に換えて、それぞれ２つの補助ＣＴ１４１ａ，１４１ｂ、演算部（第１の演算部）１４２ａ、演算部（第２の演算部）１４２ｂ、出力調整部１４３ａ，１４３ｂを有している点において図５に示す従来例と異なる。さらに、出力調整部１４３ａ，１４３ｂの出力側に比較演算部１４４と、スイッチ（切り換え手段）１４５とを設けている点においても、図５に示す従来例と異なる。その他の構成は、図５に示すトランスデューサ１４Ｂと同様である。
【００２２】
補助ＣＴ１４１ａ，１４１ｂは、補助ＣＴ１４１ａが入力端子Ｉｎ１，Ｉｎ２に、補助ＣＴ１４１ｂが入力端子Ｉｎ３，Ｉｎ４にそれぞれ接続され、ＣＴＴ１３から入力された電流を所定の電流値に変換する変流器であり、図５の補助ＣＴ１４１と同一の２つのコイル等により構成されている。演算部１４２ａ，１４２ｂは、補助ＣＴ１４１ａ，１４１ｂの出力側にそれぞれ接続され、変換された電流を電圧信号（第１の電気信号、第２の電気信号）に変換する回路であり、図５の演算部１４２と同一のＩＣ等により構成されている。出力調整部１４３ａ，１４３ｂは、演算部１４２ａ，１４２ｂの出力側にそれぞれ接続され、電圧信号を所定の電圧値に変換する可変抵抗器であり、図５の出力調整部１４３と同一の装置である。
【００２３】
比較演算部１４４は、出力調整部１４３ａ，１４３ｂの出力側に接続され、演算部１４２ａが出力する電圧信号と、演算部１４２ｂが出力する電圧信号とを比較し、所定の割合（例えば、１０％）以上の差分が検出された場合、演算部１４２ａ，１４２ｂのいずれか１つに特性不良が発生していることを示す結果通知（異常通知）ＲＳを制御所２へ出力する演算器であり、例えば、比較器（コンパレータ）等により構成されている。この比較演算部１４４は、出力調整部１４３ａからの電圧信号と出力調整部１４３ｂからの電圧信号とが両方入力された場合にのみ稼働するようになっている。スイッチ１４５は、出力調整部１４３ａ，１４３ｂの出力側に接続され、出力調整部１４３ａ，１４３ｂのいずれか１つとフィルタ回路１４６とを接続するためのものであり、結果通知ＲＳの結果に基づき、特性不良が発生していない演算部からの出力を流すために入力先を切り替えるための装置である。このスイッチ１４５は、発電所または変電所において手動で操作するものであるが、制御所２にて遠隔操作できるようにしても良い。
【００２４】
なお、補助ＣＴ１４１ａ、演算部１４２ａ、及び出力調整部１４３ａは、常時使用される通常系統であり、補助ＣＴ１４１ｂ、演算部１４２ｂ、及び出力調整部１４３ｂは、比較演算部１４４による比較時、及び通常系統の故障時に使用されるバックアップ系統である。
【００２５】
次に、このような遠隔監視制御装置１及びトランスデューサ１４の作用等について、以下に説明する。
【００２６】
通常運用時は、ＣＴＴ１３から入力された電流が入力端子Ｉｎ１，Ｉｎ２から入力されて補助ＣＴ１４１ａに流され、所定の電流値に変換されて演算部１４２ａに流されて電圧信号に変換され、出力調整部１４３ａに送られて所定の電圧値に変換される。補助ＣＴ１４１ｂ、演算部１４２ｂ、及び出力調整部１４３ｂには電流が入力されず、比較演算部１４４による比較も行われない。すなわち、通常系統の補助ＣＴ１４１ａ、演算部１４２ａ、及び出力調整部１４３ａのみが使用され、バックアップ系統の補助ＣＴ１４１ｂ、演算部１４２ｂ、及び出力調整部１４３ｂは使用されず、待機状態になる。スイッチ１４５は、出力調整部１４３ａとフィルタ回路１４６とを接続するように設定されており、出力調整部１４３ａによって変換された電圧信号は、フィルタ回路１４６に送られる。その後、レベル変換回路１４７によって所定の信号レベル（ＣＴレシオ）に変換されて、出力端子Ｏｕｔ１，Ｏｕｔ２から出力される。
【００２７】
比較演算部１４４による比較は、検査の場合等、必要に応じて適宜行われる。このとき、ＣＴＴ１３から入力された電流が入力端子Ｉｎ３，Ｉｎ４から入力されて補助ＣＴ１４１ｂに流される。すると、所定の電流値に変換されて演算部１４２ｂに流され、電圧信号に変換されて出力調整部１４３ａに送られて所定の電圧値に変換される。出力調整部１４３ａ，１４３ｂから出力される電圧信号は、比較演算部１４４に送られて比較が行われる。比較演算部１４４は、出力調整部１４３ａから出力された第１の電気信号と、出力調整部１４３ｂから出力された第２の電気信号とを比較し、１０％以上の差分が検出された場合に結果通知ＲＳを制御所２へ出力する。そして、比較演算部１４４から結果通知ＲＳが出力された場合、常時使用している演算部１４２ａが劣化して特性不良が発生していると判断されるので、応急処置としてスイッチ１４５を出力調整部１４３ｂに接続させて補助ＣＴ１４１ｂ、演算部１４２ｂ、出力調整部１４３ｂを使用するように切り替える。その後、発電所または変電所にて演算部１４２ａの特性不良が確認されて交換され、スイッチ１４５を出力調整部１４３ａに接続させて通常運用に戻される。
【００２８】
このトランスデューサ１４内の演算部１４２ａ，１４２ｂにおいて、例えば、演算部１４２ａに特性不良が発生すると、例えば、図６に示す直線Ｌ２のような特性になった場合、例えば入力電流が３Ａに対してＣＴレシオが６００Ａを示す。一方、演算部１４２ｂは正常であるため、図４に示す直線Ｌ１のような特性になり、例えば入力電流が３Ａに対してＣＴレシオが３６０Ａを示す。このとき、比較演算部１４４は、１０％以上の差分を検出するので、結果通知ＲＳが制御所２へ出力される。これにより、演算部１４２ａまたは演算部１４２ｂのいずれか一方の特性不良を検知することが可能となり、使用頻度の高い通常系統の演算部１４２ａが特性不良を起こしていると判断できる。
【００２９】
このように、この遠隔監視制御装置１及びトランスデューサ１４によれば、演算部１４２ａ，１４２ｂを備え、演算部１４２ａが通常系統として、演算部１４２ｂがバックアップ系統として運用されている。比較演算部１４４を備え、出力調整部１４３ａから出力された第１の電気信号と、出力調整部１４３ｂから出力された第２の電気信号とを比較し、１０％以上の差分が検出された場合に結果通知ＲＳを制御所２へ出力するので、使用頻度の高い通常系統の演算部１４２ａが特性不良を起こしていると判断できるため、演算部１４２ａの特性不良を適切に検出することができる。これにより、特性不良が発生した演算部の速やかな交換が可能になる。
【００３０】
（実施の形態２）
図３及び図４は、この発明の実施の形態２に係るトランスデューサ１４Ａを示し、図３は、トランスデューサ１４Ａを示す回路構成図である。このトランスデューサ１４Ａは、実施の形態１に係る遠隔監視制御装置１におけるＣＴＴ１３からの電流を入力とするトランスデューサであり、図２に示すトランスデューサ１４と同様の機能を有する装置であるが、比較演算部１４４に換えて、比較演算部１４４Ａを備えている点において、実施の形態１に係るトランスデューサ１４と異なる。
【００３１】
比較演算部１４４Ａは、演算部１４２ａ，１４２ｂの特性不良の場合に結果通知ＲＳを制御所２へ出力する演算器であるが、記憶部１４４１を備えている。記憶部１４４１は、出力調整部１４３ａから出力された第１の電気信号と、出力調整部１４３ｂから出力された第２の電気信号とを記憶する装置であり、メモリ等の記憶素子等により構成されている。この比較演算部１４４Ａは、出力調整部１４３ａから出力された第１の電気信号と、出力調整部１４３ｂから出力された第２の電気信号とを比較して差分が検出された場合、出力調整部１４３ａから出力された第１の電気信号と、記憶部１４４１に記憶された第１の電気信号とを比較する。また、出力調整部１４３ｂから出力された第２の電気信号と、記憶部１４４１に記憶された第２の電気信号とを比較する。そして、所定の割合（例えば、１０％）以上の差分を検出した場合、演算部１４２ａ，１４２ｂのいずれか一方または両方に特性不良が発生していると判定する。
【００３２】
図４は、図３の比較演算部１４４Ａの制御を示すフローチャートである。図４に示すフローチャートを用いて、比較演算部１４４Ａの制御について説明する。
【００３３】
まず、実施の形態１と同様に、出力調整部１４３ａから出力された第１の電気信号と、出力調整部１４３ｂから出力された第２の電気信号とが比較される（ステップＳ１）。１０％以上の差分が検出された場合（ステップＳ１にて、「差分有」の場合）、出力調整部１４３ａから出力された第１の電気信号と、記憶部１４４１に記憶された第１の電気信号とが比較される（ステップＳ２）。１０％以上の差分が検出されなかった場合（ステップＳ１にて、「差分無」の場合）、演算部１４２ａ，１４２ｂは正常と判定されるので、特に処理は行われずに終了する。
【００３４】
１０％以上の差分が検出された場合（ステップＳ２にて、「差分有」の場合）、演算部１４２ａが特性不良と判定され（ステップＳ３）、出力調整部１４３ｂから出力された第２の電気信号と、記憶部１４４１に記憶された第２の電気信号とが比較される（ステップＳ４）。１０％以上の差分が検出されなかった場合（ステップＳ２にて、「差分無」の場合）、演算部１４２ａは正常と判定されるので特に処理は行われずに、ステップＳ４へ進む。
【００３５】
１０％以上の差分が検出された場合（ステップＳ４にて、「差分有」の場合）、演算部１４２ｂが特性不良と判定される（ステップＳ５）。１０％以上の差分が検出されなかった場合（ステップＳ４にて、「差分無」の場合）、演算部１４２ｂは正常と判定されるので特に処理は行わない。その後、結果通知ＲＳが出力され、演算部１４２ａ，１４２ｂのいずれか一方または両方に特性不良が発生していることが通知され、処理が終了する。
【００３６】
このように、このトランスデューサ１４Ａによれば、比較演算部１４４Ａにの第１の電気信号及び第２の電気信号を記憶する記憶部１４４１を備えて、出力調整部１４３ａから出力された第１の電気信号と出力調整部１４３ｂから出力された第２の電気信号とを比較して差分が検出された場合、出力調整部１４３ａから出力された第１の電気信号と、記憶部１４４１に記憶された第１の電気信号とを比較して差分が検出された場合に演算部１４２ａが特性不良と判定され、出力調整部１４３ｂから出力された第２の電気信号と、記憶部１４４１に記憶された第２の電気信号とを比較して差分が検出された場合に演算部１４２ｂが特性不良と判定されるので、より正確に特性不良が発生している演算部を特定することが可能になる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、トランスデューサ１４，１４Ａを備えた遠隔監視制御装置１について説明したが、情報伝送装置（ＣＤＴ）に使用されているトランスデューサに、本発明のトランスデューサ１４，１４Ａを適用しても良い。
【００３８】
また、２つの演算部１４２ａ，１４２ｂを設け、出力されたそれぞれの電気信号を比較したが、３つ以上の演算部を設け、３つ以上の電気信号から特性不良を検出する構成にしても良い。３つ以上にすることで、その中のいずれか１つについて差分を検出した場合、その演算部が特性不良を起こしていると判断することができる。
【符号の説明】
【００３９】
１                                  遠隔監視制御装置
２                                  制御所
１１                                出力電流が計測用端子台（ＰＣＴ）
１２                                計器用変圧器テストターミナル（ＰＴＴ）
１３                                計器用変流器テストターミナル（ＣＴＴ）
１４，１４Ａ，１４Ｂ                トランスデューサ
１５                                ＡＩ（Ａｎａｌｏｇ  Ｉｎｐｕｔ）基板
１６                                ＣＰＵ
１７                                モデム
１４１，１４１ａ，１４１ｂ          補助変流器（ＣＴ）
１４２                              演算部
１４２ａ                            演算部（第１の演算部）
１４２ｂ                            演算部（第２の演算部）
１４３，１４３ａ，１４３ｂ          出力調整部
１４４，１４４Ａ                    比較演算部
１４５                              スイッチ（切り換え手段）
１４６                              フィルタ回路
１４７                              レベル変換回路
１４８                              補助電源回路
１４４１                            記憶部
【図１】
2018110486.tif 000003
【図２】
2018110486.tif 000004
【図３】
2018110486.tif 000005
【図４】
2018110486.tif 000006
【図５】
2018110486.tif 000007
【図６】
2018110486.tif 000008